(57)【要約】【課題】網体の一部に縒れが生じても拡がらずに所定の範囲内に限定できるようにしたフィルタおよび同フィルタを備えた空気調和機を提供する。【解決手段】枠体５１と、同枠体５１内に張設される網体５２とからなるフィルタ５において、前記網体５２は、表面に熱溶着層を備えていない一方の非溶着糸５２１および表面に熱溶着層を備えた一方の溶着糸５３１と、表面に熱溶着層を備えた他方の溶着糸５３２とを織り込んで形成され、前記一方の溶着糸５３１および前記他方の溶着糸５３２の交差部が熱溶着されてなる構成にした。【選択図】図３
2012122622.tif 000002
【特許請求の範囲】
【請求項１】
枠体と、同枠体内に張設される網体とからなるフィルタにおいて、
前記網体は、表面に熱溶着層を備えた一方の溶着糸と、表面に熱溶着層を備えていない他方の非溶着糸および表面に熱溶着層を備えた他方の溶着糸とを織り込んで形成され、
前記一方の溶着糸および前記他方の溶着糸の交差部が熱溶着されてなることを特徴とするフィルタ。
【請求項２】
枠体と、同枠体内に張設される網体とからなるフィルタにおいて、
前記網体は、表面に熱溶着層を備えていない一方の非溶着糸および表面に熱溶着層を備えた一方の溶着糸と、表面に熱溶着層を備えていない他方の非溶着糸および表面に熱溶着層を備えた他方の溶着糸とを織り込んで形成され、
前記一方の溶着糸および前記他方の溶着糸の交差部が熱溶着されてなることを特徴とするフィルタ。
【請求項３】
前記非溶着糸がポリエチレンテレフタレート（ＰＥＴ樹脂）繊維からなり、前記溶着糸がポリプロピレン（ＰＰ樹脂）繊維からなることを特徴とする請求項１または請求項２に記載のフィルタ。
【請求項４】
請求項１乃至請求項３の何れかに記載のフィルタを備えたことを特徴とする空気調和機。
【発明の詳細な説明】
【技術分野】
【０００１】
本発明は、フィルタおよび同フィルタを備えた空気調和機に関わり、より詳細には、コストダウンを図るとともに、網体の一部に縒れが生じても拡がらず所定の範囲内に限定できるようにした構成に関するものである。
【背景技術】
【０００２】
従来の空気調和機に用いられるフィルタとして、図示はしないが、塵埃を捕捉する網体が樹脂繊維からなる縦糸と横糸とを平織りして形成されたものがある。この構成によって、捕捉された塵埃が網体に絡まりにくくすることができ、吸引ノズルにて容易に塵埃を除去することが可能であった（例えば、特許文献１参照）。
【０００３】
上述したフィルタは、網体が糸径１００μｍ以下の縦糸と横糸とを平織して形成されているので、空気の流れを妨げないように圧力損失は小さくできるが、空気中の塵埃を捕捉する能力は低くなる。このような問題点を解決するために、図４に示すような枠体１０１と、この枠体１０１内に張設され縦糸と横糸とが織り込まれた網体１０２とからなるフィルタ１００が開示されている。このフィルタ１００は、網体１０２が高密度に目付けされることで空気中の塵埃を捕捉する能力に優れており、また、糸径１００μｍ以下の樹脂繊維を用いることで圧力損失の増加を抑制できるようにしている（例えば、特許文献２参照）。
【０００４】
フィルタ１００の網体１０２は、表面に熱溶着層を備えた樹脂繊維からなる縦糸と横糸とが平織りされたのちに熱溶着されているが、表面に熱溶着層を備えた縦糸と横糸とが高価であるためコスト高になってしまうという問題点を有していた。
【０００５】
また、フィルタ１００の網体１０２は、縦糸と横糸の表面に熱溶着層を備えず熱溶着をしないことでコストダウンできるが、溶着しないと縦糸と横糸とに縒れが生じてしまう虞がある。この縒れが広範囲に拡がってしまうと、網体１０２の網目が不揃いになって塵埃を捕捉する能力が低下してしまうという問題点を有していた。
【０００６】
そのため、塵埃を捕捉する能力が低下したフィルタ１００が空気調和機に用いられた場合、フィルタ１００の風下側となる空気通路や、この空気通路に設置された熱交換器や送風ファン等（何れも図示せず）に汚れが付着してしまうという問題点があり、また、フィルタ１００で捕捉できなかった塵埃の一部が、吹出空気といっしょに被空調室に吹き出されてしまう虞があった。
【先行技術文献】
【特許文献】
【０００７】
【特許文献１】特開２００６−１２２８７１号公報
【特許文献２】特開２００８−１１６０８９号公報
【発明の概要】
【発明が解決しようとする課題】
【０００８】
本発明は、上記問題点に鑑み、コストダウンを図るとともに、網体の一部に縒れが生じても拡がらず所定の範囲内に限定できるようにしたフィルタおよび同フィルタを備えた空気調和機を提供することを目的とする。
【課題を解決するための手段】
【０００９】
上述した目的を達成できるように構成するため、本発明は以下に示す特徴を備えている。
【００１０】
枠体と、同枠体内に張設される網体とからなるフィルタにおいて、
前記網体は、表面に熱溶着層を備えた一方の溶着糸と、表面に熱溶着層を備えていない他方の非溶着糸および表面に熱溶着層を備えた他方の溶着糸とを織り込んで形成され、
前記一方の溶着糸および前記他方の溶着糸の交差部が熱溶着されてなることを特徴としている。
【００１１】
また、枠体と、同枠体内に張設される網体とからなるフィルタにおいて、
前記網体は、表面に熱溶着層を備えていない一方の非溶着糸および表面に熱溶着層を備えた一方の溶着糸と、表面に熱溶着層を備えていない他方の非溶着糸および表面に熱溶着層を備えた他方の溶着糸とを織り込んで形成され、
前記一方の溶着糸および前記他方の溶着糸の交差部が熱溶着されてなることを特徴としている。
【００１２】
また、前記非溶着糸がポリエチレンテレフタレート（ＰＥＴ樹脂）繊維からなり、前記溶着糸がポリプロピレン（ＰＰ樹脂）繊維からなることを特徴としている。
【００１３】
また、前記フィルタを備えたことを特徴とする空気調和機としている。
【発明の効果】
【００１４】
請求項１の発明によれば、網体は、表面に熱溶着層を備えた一方の溶着糸と、表面に熱溶着層を備えていない他方の非溶着糸および表面に熱溶着層を備えた他方の溶着糸とを織り込んで形成され、一方の溶着糸および他方の溶着糸の交差部が熱溶着されている。そのため、網体は表面に熱溶着層を備えた高価な溶着糸で全域が形成されないので、例えば、網体の全域が熱溶着層を表面に備えた溶着糸が織り込まれ、且つ熱溶着されることで形成された構成に較べて、コストダウンを図れるようにしたフィルタになる。また、熱溶着されていない他方の非溶着糸に縒れが生じても互いに熱溶着された一方の溶着糸と他方の溶着糸とで区画される範囲内に限定できるようになり、他方の非溶着糸の縒れを最小限に留めて塵埃を捕捉する能力を低下させないようにしたフィルタとなる。
【００１５】
請求項２の発明によれば、網体は、表面に熱溶着層を備えていない一方の非溶着糸および表面に熱溶着層を備えた一方の溶着糸と、表面に熱溶着層を備えていない他方の非溶着糸および表面に熱溶着層を備えた他方の溶着糸とを織り込んで形成され、一方の溶着糸および他方の溶着糸の交差部が熱溶着されている。そのため、網体は表面に熱溶着層を備えた高価な溶着糸で全域が形成されないので、例えば、網体の全域が熱溶着層を表面に備えた溶着糸が織り込まれ、且つ熱溶着されることで形成された構成に較べてコストダウンを図れ、また、請求項１の発明よりも高価な溶着糸を減らすことで更にコストダウンを図れるようにしたフィルタになる。また、互いに熱溶着されていない一方の非溶着糸と他方の非溶着糸とに縒れが生じても互いに熱溶着された一方の溶着糸と他方の溶着糸とで区画される範囲内に限定できるようになり、一方の非溶着糸と他方の非溶着糸との縒れを最小限に留めて塵埃を捕捉する能力を低下させないようにしたフィルタとなる。
【００１６】
請求項３の発明によれば、一方の溶着糸および他方の溶着糸がポリプロピレン（ＰＰ樹脂）繊維からなり、一方の非溶着糸および他方の非溶着糸がポリエチレンテレフタレート（ＰＥＴ樹脂）繊維からなる構成にしている。これにより、一方の溶着糸および他方の溶着糸は、ポリエチレンテレフタレート（ＰＥＴ樹脂）繊維からなる場合に較べて廉価な構成になる。また、一方の非溶着糸および他方の非溶着糸は、ポリプロピレン（ＰＰ樹脂）繊維よりも強度の高いポリエチレンテレフタレート（ＰＥＴ樹脂）繊維を使用するので、一方の溶着糸および他方の溶着糸よりも細い糸径にして同等の強度を維持するように形成できるため、圧力損失の増加を抑えて塵埃を捕捉する能力を高めることができるようになる。
【００１７】
請求項４の発明によれば、空気調和機にコストダウンを図り塵埃を捕捉する能力を低下させないフィルタを備えた構成になる。これにより、空気調和機のコストダウンに寄与できて、前面吸込口および上面吸込口と吹出口とを結ぶ空気通路や、この空気通路に配置された熱交換器や送風ファン等に汚れを付着させることがなく、また、塵埃の一部が吹出口から吹出空気といっしょに被空調室に吹き出される虞がない空気調和機となる。
【図面の簡単な説明】
【００１８】
【図１】本発明によるフィルタを備えた空気調和機の断面図である。
【図２】本発明によるフィルタの説明図で、（Ａ）はフィルタの外観斜視図であり、（Ｂ）はフィルタを構成する網体の外観斜視図である。
【図３】本発明によるフィルタの説明図で、（Ａ）はフィルタの正面図であり、（Ｂ）は図３（Ａ）に示すＦ部の一例を示す拡大図であり、（Ｃ）はＦ部の他の例を示す拡大図である。
【図４】従来例によるフィルタの外観斜視図である。
【発明を実施するための形態】
【００１９】
以下、本発明の実施の形態を、添付図面に基づいた実施例として詳細に説明する。
【００２０】
本発明によるフィルタ５を備えた空気調和機１は、図１に示す断面図のように、前面に前面吸込口２を設けるとともに、前面上部に上面吸込口３を設け、前面下部に吹出口４を設けている。
【００２１】
吹出口４の側方には、図示はしないが、複数のＬＥＤ等からなる表示部と、リモートコントローラからの信号を受信する受信部とが設けられている。また、吹出口４には複数の左右風向板８と、上下風向板９とが設けられ、この上下風向板９は運転停止時に吹出口４を閉塞するようになっている。
【００２２】
前面吸込口２および上面吸込口３と、吹出口４とを結ぶ空気通路には、前面吸込口２および上面吸込口３から吸込まれた空気中に含まれる塵埃を捕捉するフィルタ５と、等間隔で平行に並べられた多数のフィンとこれに直交する伝熱管とからなり、前方上部熱交換器６ａと前方下部熱交換器６ｂと後方上部熱交換器６ｃとで構成された逆Ｖ字状の熱交換器６と、熱交換器６を構成する伝熱管内を流れる冷媒と熱交換された空気を吹出口４から被空調室に吹き出す送風ファン７とが設けられている。
【００２３】
また、前方下部熱交換器６ｂの下方には、前方上部熱交換器６ａおよび前方下部熱交換器６ｂから滴下する凝縮水を受ける前部露受皿１０が設けられ、後方上部熱交換器６ｃの下方には、後方上部熱交換器６ｃから滴下する凝縮水を受ける後部露受皿１１が設けられている。
【００２４】
フィルタ５は、図２（Ａ）に示すように、合成樹脂による枠体５１と、枠体５１内を左右方向に区切る縦リブ５１１および上下方向に区切る横リブ５１２と、これら枠体５１と、縦リブ５１１および横リブ５１２とで支持される図２（Ｂ）に示すような網体５２とで構成されている。
【００２５】
上述したフィルタ５は、図１に示すように、空気調和機１の前面吸込口２および上面吸込口３と、吹出口４とを結ぶ空気通路に設置されることで、前面吸込口２および上面吸込口３から吸い込まれた空気中に含まれている塵埃を網体５２によって捕捉し、吹出口４から被空調室へ吹き出される吹出空気の清浄化を図るようにしている。
【００２６】
フィルタ５を構成する枠体５１は、例えば、ポリプロピレン（ＰＰ樹脂）からなる柔軟性を有する樹脂材によって、縦リブ５１１および横リブ５１２とともに一体成形されており、枠体５１の内側は、図２（Ａ）および図３（Ａ）に示すように、複数の縦リブ５１１および複数の横リブ５１２で格子状になっている。
【００２７】
フィルタ５を構成する網体５２は、図２（Ｂ）と、図３（Ａ）乃至図３（Ｃ）とに示すように、枠体５１と、複数の縦リブ５１１および複数の横リブ５１２とで支持されることで、左右方向および上下方向に区切られるように張設された構成になっている。
【００２８】
網体５２は、一例として図３（Ｂ）に示すように、表面に熱溶着層を備えた一方の溶着糸（溶着縦糸）５３１と、表面に熱溶着層を備えていない他方の非溶着糸（横糸）５２２および表面に熱溶着層を備えた他方の溶着糸（溶着横糸）５３２とを織り込んで形成され、一方の溶着糸（溶着縦糸）５３１および他方の溶着糸（溶着横糸）５３２の交差部が熱溶着されている。
【００２９】
これにより、例えば、網体５２が熱溶着層を表面に備えた一方の溶着糸５３１および他方の溶着糸５３２が織り込まれ、且つ、これら一方の溶着糸５３１および他方の溶着糸５３２の交差部が熱溶着されることで形成された構成に較べて、網体５２の一部に、表面に熱溶着層を備えていない他方の非溶着糸５２２からなる廉価な横糸が用いられることで、コストダウンを図れるようにしたフィルタ５となる。
【００３０】
また、熱溶着されていない他方の非溶着糸５２２に縒れが生じても互いに熱溶着された一方の溶着糸５３１と他方の溶着糸５３２とで区画される範囲内に限定できるようになり、他方の非溶着糸５２２の縒れを最小限に留めて塵埃を捕捉する能力を低下させないようにしたフィルタ５となる。
【００３１】
または、他の例として図３（Ｃ）に示すように、表面に熱溶着層を備えていない一方の非溶着糸（縦糸）５２１および表面に熱溶着層を備えた一方の溶着糸（溶着縦糸）５３１と、表面に熱溶着層を備えていない他方の非溶着糸（横糸）５２２および表面に熱溶着層を備えた他方の溶着糸（溶着横糸）５３２とを織り込んで形成され、一方の溶着糸（溶着縦糸）５３１および他方の溶着糸（溶着横糸）５３２の交差部が熱溶着された構成にしてもよい。
【００３２】
これにより、例えば、網体５２が、熱溶着層を表面に備えていない一方の非溶着糸５２１および熱溶着層を表面に備えた一方の溶着糸５３１と、熱溶着層を表面に備えていない他方の非溶着糸５２２および熱溶着層を表面に備えた他方の溶着糸５３２とが織り込まれ、且つ、これら一方の溶着糸５３１および他方の溶着糸５３２の交差部が熱溶着されることで形成された図３（Ｂ）に示す構成に較べて、網体５２は表面に熱溶着層を備えた高価な一方の溶着糸５３１を減らすことで、更にコストダウンを図れるようにしたフィルタ５となる。
【００３３】
また、互いに熱溶着されていない一方の非溶着糸５２１と他方の非溶着糸５２２とに縒れが生じても互いに熱溶着された一方の溶着糸５３１と他方の溶着糸５３２とで区画される範囲内に限定できるようになり、一方の非溶着糸５２１と他方の非溶着糸５２２との縒れを最小限に留めて塵埃を捕捉する能力を低下させないようにしたフィルタ５となる。
【００３４】
フィルタ５は、射出成形される際、金型内に網体５２をセットして閉じた金型に流入した溶融樹脂が固化することにより、網体５２が、所謂インサート成形によって図２（Ａ）に示すように枠体５１に接合される。
【００３５】
網体５２は、一方の非溶着糸５２１および他方の非溶着糸５２２が、例えば、表面に熱溶着層を備えていないポリエチレンテレフタレート（ＰＥＴ樹脂）繊維からなり、一方の溶着糸５３１および他方の溶着糸５３２が、ポリプロピレン（ＰＰ樹脂）繊維からなる構成にすることで、網体５２の全域が、表面に熱溶着層を備えて互いに溶着された一方の溶着糸５２１および他方の溶着糸５２２からなる構成に較べてコストダウンを図れることになる。
【００３６】
また、一方の非溶着糸５２１および他方の非溶着糸５２２は、ポリエチレンテレフタレート（ＰＥＴ樹脂）繊維からなる構成にしたことで、ポリプロピレン（ＰＰ樹脂）繊維からなる場合に較べて強度に優るため、糸径を細く形成することで網体５２の開口面積を増加させて圧力損失を低減できる。
【００３７】
また、一方の溶着糸５３１および他方の溶着糸５３２は、ポリプロピレン（ＰＰ樹脂）繊維からなる構成にしたことで、ポリエチレンテレフタレート（ＰＥＴ樹脂）繊維からなる場合に較べて廉価な素材で形成できるためコストダウンに寄与できる。その場合、一方の溶着糸５３１および他方の溶着糸５３２は、ポリプロピレン（ＰＰ樹脂）繊維の糸径を太くすることで強度を増強すればよい。
【００３８】
なお、一方の非溶着糸５２１および他方の非溶着糸５２２が、ポリエチレンテレフタレート（ＰＥＴ樹脂）繊維からなり、一方の溶着糸５３１および他方の溶着糸５３２が、ポリプロピレン（ＰＰ樹脂）繊維からなる構成に限ることなく、一方の非溶着糸５２１および他方の非溶着糸５２２と、一方の溶着糸５３１および他方の溶着糸５３２とは、何れも他の素材によって形成される構成にしてもよい。
【００３９】
また、網体５２の網目は、図３（Ｂ）に示すように、糸径ａによる一方の溶着糸５３１の（横方向の）間隔をＡとし、糸径ｂによる他方の非溶着糸５２２および糸径ｄによる他方の溶着糸５３２の（縦方向の）間隔をＢとした時、ＡとＢとが同等になるように編み込まれている。なお、図３（Ｂ）において、一方の溶着糸５３１の太さを糸径ａとし、他方の非溶着糸５２２の太さを糸径ｂとし、他方の溶着糸５３２の太さを糸径ｄとしている。
【００４０】
また、網体５２の網目は、図３（Ｃ）に示すように、糸径ａによる一方の非溶着糸５２１および一方の溶着糸５３１の（横方向の）間隔をＡとし、糸径ｂによる他方の非溶着糸５２２および他方の溶着糸５３２の（縦方向の）間隔をＢとした時、ＡとＢとが同等になるように編み込まれている。なお、図３（Ｃ）において、一方の非溶着糸５２１の太さを糸径ａとし、一方の溶着糸５３１の太さを糸径ｃとし、他方の非溶着糸５２２の太さを糸径ｂとし、他方の溶着糸５３２の太さを糸径ｄとしている。
【００４１】
熱溶着されていない一方の非溶着糸５２１に外力が加わって縒れが生じた場合、この一方の非溶着糸５２１の縒れは、一方の溶着糸５３１の間、または、一方の溶着糸５３１と縦リブ５１１との間を超えた範囲に拡がってしまうことがない。また、熱溶着されていない他方の非溶着糸５２２に外力が加わって縒れが生じた場合、この他方の非溶着糸５２２の縒れは、他方の溶着糸５３２の間、または、他方の溶着糸５３２と横リブ５１２との間を超えた範囲に拡がってしまうことがない。
【００４２】
その際、網体５２の一部をなす一方の溶着糸５３１および他方の溶着糸５３２にのみ熱溶着層を備え、且つ熱溶着がされているので、一方の非溶着糸５２１および他方の非溶着糸５２２の全部に熱溶着層を備え、且つ熱溶着される構成に較べて、網体５２としてのコストを低減できることになる。
【００４３】
以上説明したように、本発明の構成によれば、フィルタ５を構成する網体５２は、表面に熱溶着層を備えていない一方の非溶着糸５２１および表面に熱溶着層を備えた一方の溶着糸５３１と、表面に熱溶着層を備えていない他方の非溶着糸５２２および表面に熱溶着層を備えた他方の溶着糸５３２とを織り込んで形成され、一方の溶着糸５３１および他方の溶着糸５３２の交差部が熱溶着されたことで、一方の非溶着糸５２１および他方の非溶着糸５２２を含む網体５２の全域を溶着する構成に較べてコストダウンを図ることができる。また、溶着されていない一方の非溶着糸５２１および他方の非溶着糸５２２に縒れが生じても、互いに熱溶着された一方の溶着糸５３１と他方の溶着糸５３２とで区画される範囲内に限定できるようになり、一方の非溶着糸５２１と他方の非溶着糸５２２との縒れを最小限に留めて塵埃を捕捉する能力を低下させないようにしたフィルタ５となる。
【００４４】
そのため、このフィルタ５が用いられることで、空気調和機のコストダウンに寄与できることになる。また、前面吸込口２および上面吸込口３と吹出口４とを結ぶ空気通路や、この空気通路に設けられた熱交換器６、送風ファン７、左右風向板８および上下風向板９等に汚れを付着させることがなくなり、また、塵埃を充分に捕捉できるので、塵埃の一部が吹出口４から吹出空気といっしょに被空調室に吹き出される虞がない空気調和機となる。
【符号の説明】
【００４５】
１  空気調和機
２  前面吸込口
３  上面吸込口
４  吹出口
５  フィルタ
５１  枠体
５１１  縦リブ
５１２  横リブ
５２  網体
５２１  一方の非溶着糸（縦糸）
５２２  他方の非溶着糸（横糸）
５３１  一方の溶着糸（溶着縦糸）
５３２  他方の溶着糸（溶着横糸）
６  熱交換器
６ａ  前方上部熱交換器
６ｂ  前方下部熱交換器
６ｃ  後方上部熱交換器
７  送風ファン
８  左右風向板
９  上下風向板
１０  前部露受皿
１１  後部露受皿
【図１】
2012122622.tif 000003
【図２】
2012122622.tif 000004
【図３】
2012122622.tif 000005
【図４】
2012122622.tif 000006